(57)【要約】      （修正有）【課題】ＬＥＤチップの基板への搭載方法を改良することにより、照度の方向性を軽減したＬＥＤランプを提供する。【解決手段】既存の蛍光ランプ形状を有する透明外囲器の中に細長い放熱基板を収納し、該放熱基板上に複数のＬＥＤチップ５を長手方向に直線上に搭載してなるＬＥＤランプにおいて、該放熱基板の長手方向に対して直角な断面の形状が台形部を有し、かつ、該台形部の平行な２辺の内の短い辺１の両端が、隣接する辺２および辺３となす角度が鈍角である放熱基板上の、前記辺１、辺２、辺３が属する平面上に夫々複数個のＬＥＤチップ５を搭載してなる構造とする。【選択図】図１
0003151995.tif 000002
【実用新案登録請求の範囲】
【請求項１】
既存の蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が台形部を有し、かつ、該台形部の平行な２辺の内の短い辺１の両端が、隣接する辺２および辺３となす角度が鈍角である放熱基板上の、前記辺１、辺２、辺３が属する平面上に夫々複数個のＬＥＤチップを搭載してなる構造を有することを特徴とするＬＥＤランプ。
【請求項２】
既存の蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が５ないし８角の多角形部を有し、かつ、該多角形部の互いに隣接する辺がなす角度が鈍角である放熱基板上の少なくとも４辺が属する平面上に夫々複数個のＬＥＤチップを搭載してなる構造を有することを特徴とするＬＥＤランプ。
【請求項３】
請求項１および請求項２において、前記透明外囲器が、半透明乳白色、すりガラス状、レンズ状のいずれかであるＬＥＤランプ。
【考案の詳細な説明】
【技術分野】
【０００１】  本考案は、蛍光ランプ型ＬＥＤランプの明るさの方向依存性を改良したＬＥＤランプに関するものである。
【背景技術】
【０００２】  ＬＥＤランプは、蛍光ランプに比べ、同じ明るさでも消費電力が低く、寿命が長いという利点を有することから、蛍光ランプに代わって広く用いられようとしている。【０００３】  ＬＥＤランプに使用するＬＥＤチップは、一般に平板状のものであり、チップの発光面に対して垂直な方向の照度が最も高く、照度が５０％になる角度は垂直方向に対して５５度程度である。この角度は、一般の蛍光ランプが全く方向性を持たないので、従来の蛍光ランプの用途に置き換える場合には明るさのむらが生じてくる。
【考案の開示】
【考案が解決しようとする課題】
【０００４】  そこで、本考案は、ＬＥＤチップの基板への搭載方法を改良することにより、照度の方向性を軽減したＬＥＤランプを提供しようとするものである。
【課題を解決するための手段】
【０００５】  本考案は、上記課題をた解決するために、請求項１に対応して、既存の蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が台形部を有し、かつ、該台形部の平行な２辺の内の短い辺１の両端が、隣接する辺２および辺３となす角度が鈍角である放熱基板上の、前記辺１、辺２、辺３が属する平面上に夫々複数個のＬＥＤチップを搭載してなる構造とする。【０００６】  また、請求項２に対応して、既存の蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が５ないし８角の多角形部を有し、かつ、該多角形部の互いに隣接する辺がなす角度が鈍角である放熱基板上の少なくとも４辺が属する平面上に夫々複数個のＬＥＤチップを搭載してなる構造とする。【０００７】  さらに、上記構造において、前記透明外囲器が、半透明乳白色、すりガラス状、レンズ状のいずれかである構造とする。
【考案の効果】
【０００８】  本考案のＬＥＤランプによれば、以下のごとき優れた効果を発揮する。
すなわち、ＬＥＤランプの長軸に直角な方向の明るさのむらが軽減され、且つ辺１が被照射物と対向するようにこのＬＥＤランプを配置した場合、被照射物に対しては充分な照度を確保することができ、且つ、その周辺での照度も従来の蛍光ランプを用いた場合に近い値が確保できるのである。
【考案を実施するための最良の形態】
【０００９】  以下、図面に基づき本考案を実施するための最良の形態を説明する。【００１０】  図１、図２及び図３は、本考案のＬＥＤランプの実施の一形態を示すもので、以下のようにしてある。【００１１】  すなわち、図１は、ＬＥＤチップを搭載した放熱基板の長手方向に対して直角な断面図を表すもので、辺１を含む平面１１は、辺２を含む平面１２、および辺３を含む平面１３と夫々鈍角をなして接している。破線の辺４は放熱基板の断面形状を説明するためのもので、この辺４を含む物体の面は通常存在しない。辺１と辺４は平行である。辺１の長さは辺４より短く、辺１、辺２、辺３および辺４は台形部を構成している。ＬＥＤチップ５は前記辺１、辺２および辺３が夫々属する放熱基板上の平面１１、１２、１３に搭載されている。図２は図１の形態を実際のＬＥＤランプに適用した場合の模式図である。平面１１、１２、１３には夫々複数のＬＥＤチップ５が直線上に搭載されている。ＬＥＤチップ５を搭載した基板は、透明外囲器６に収納されている。【００１２】  図３は、ＬＥＤチップを搭載した放熱基板の長手方向に対して直角な断面図の他の一例を表すもので、放熱基板の断面形状が６角形部をなしている。これらの平面のうち、互いに鈍角で接する５個の辺１、辺２、辺３、辺６，及び辺７を夫々含む平面上にＬＥＤチップ５を搭載し、一層照度の方向依存性を減少させている。
【図面の簡単な説明】
【００１３】
【図１】  本考案のＬＥＤランプの放熱基板とＬＥＤチップの搭載状態の一例を示す断面図である。
【図２】  本考案のＬＥＤランプを透明外囲器に収納した様子を示す模式図でｓる。
【図３】  本考案のＬＥＤランプの放熱基板とＬＥＤチップの搭載状態の他の一例を示す断面図である。
【符号の説明】  １、２、３、７、８  放熱基板の平面の断面を表す辺
４  多角形部の一辺
５  ＬＥＤチップ
６  透明外囲器
１１、１２、１３  ＬＥＤチップを搭載した平面
【図１】
0003151995.tif 000003
【図２】
0003151995.tif 000004
【図３】
0003151995.tif 000005
【手続補正書】
【提出日】平成21年4月14日(2009.4.14)
【手続補正１】
【補正対象書類名】実用新案登録請求の範囲
【補正対象項目名】請求項１
【補正方法】変更
【補正の内容】
【請求項１】
蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が台形部を有し、かつ、該台形部の平行な２辺の内の短い辺１の両端が、隣接する辺２および辺３となす角度が鈍角である放熱基板上の、前記辺１、辺２、辺３が属する平面上に夫々複数個のＬＥＤチップを搭載してなる構造を有することを特徴とするＬＥＤランプ。
【手続補正２】
【補正対象書類名】実用新案登録請求の範囲
【補正対象項目名】請求項２
【補正方法】変更
【補正の内容】
【請求項２】
蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が５ないし８角の多角形部を有し、かつ、該多角形部の互いに隣接する辺がなす角度が鈍角である放熱基板上の少なくとも４辺が属する平面上に夫々複数個のＬＥＤチップを搭載してなる構造を有することを特徴とするＬＥＤランプ。
【手続補正３】
【補正対象書類名】実用新案登録請求の範囲
【補正対象項目名】請求項３
【補正方法】変更
【補正の内容】
【請求項３】
請求項１または請求項２記載のＬＥＤランプにおいて、前記透明外囲器が、半透明乳白色、すりガラス状、レンズ状のいずれかであるＬＥＤランプ。
【手続補正４】
【補正対象書類名】明細書
【補正対象項目名】０００５
【補正方法】変更
【補正の内容】
【０００５】  本考案は、上記課題をた解決するために、請求項１に対応して、蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が台形部を有し、かつ、該台形部の平行な２辺の内の短い辺１の両端が、隣接する辺２および辺３となす角度が鈍角である放熱基板上の、前記辺１、辺２、辺３が属する平面上に夫々複数個のＬＥＤチップを搭載してなる構造とする。
【手続補正５】
【補正対象書類名】明細書
【補正対象項目名】０００６
【補正方法】変更
【補正の内容】
【０００６】  また、請求項２に対応して、蛍光ランプ形状を有する透明外囲器の中に細長い放熱基板を収納し、該放熱基板上に複数のＬＥＤチップを長手方向に直線上に搭載してなるＬＥＤランプにおいて、該放熱基板の長手方向に対して直角な断面の形状が５ないし８角の多角形部を有し、かつ、該多角形部の互いに隣接する辺がなす角度が鈍角である放熱基板上の少なくとも４辺が属する平面上に夫々複数個のＬＥＤチップを搭載してなる構造とする。